(57)【特許請求の範囲】
【請求項１】
第１軸（２１）及び第２軸（２２）を介してスイッチ本体（１）で支持するとともに、第１軸（２１）及び前記第１軸（２１）と直交する第２軸（２２）を中心に第１方向及び前記第１方向と直交する第２方向の各方向に揺動自在であり、かつ先端側に係合子（２３）を有したレバー（２）と、
スイッチ本体（１）で支持するとともに、第２方向に延びる長孔（３２Ａ）及び可動接片（３３Ａ）を有し、かつ第３軸（３１Ａ）を中心に前記長孔（３２Ａ）の延びる方向と直交する第３方向に揺動自在な可動盤（３Ａ）と、
前記可動接片（３３Ａ）と摺接する固定接点を設けた極盤（１５）とを備え、
前記係合子（２３）を前記長孔（３２Ａ）の壁面（３４Ａ）に係合することにより可動盤（３Ａ）をレバー（２）に連動させ、前記係合子（２３）が、レバー（２）の前記第２方向への揺動位置によって前記長孔（３２Ａ）内において第３軸（３１Ａ）に最短距離の位置から、最長距離の位置まで変位するようにしたレバースイッチ装置において、
前記可動盤（３Ａ）の底面と前記壁面（３４Ａ）とのなす角度（θ：シータ）を第３軸（３１Ａ）からの距離に応じて変え、前記係合子（２３）が前記長孔（３２Ａ）内のどの位置に変位しても、前記レバー（２）の前記第１方向への揺動に対して、前記可動接片（３３Ａ）の移動量が一定となるようにしたことを特徴とするレバースイッチ装置。
【発明の詳細な説明】
【０００１】
【発明の属する技術分野】
この発明は、自動車のライティング系統、ワイパ系統、ターンシグナル系統の各負荷を運転席から操作するコンビネーションスイッチ等に使用するレバースイッチ装置の改良技術に関する。
【０００２】
【従来の技術】
図６〜図８は従来のレバースイッチ装置を示したものである。この従来装置は、スイッチ本体１で支持するとともに、第１軸２１及び第２軸２２を中心に第１方向及び第２方向の各方向に揺動自在であり、かつ先端側に係合子２３を有したレバー２と、スイッチ本体１のケース１２に形成した支柱１７に第３軸３１を嵌合することで支持するとともに、第３軸３１を中心に第３方向に揺動自在であり、かつ第２方向に延びる長孔３２及び可動接片３３を有した可動盤３とを備え、前記係合子２３を前記長孔３２の壁面３４に係合することにより可動盤３をレバー２に連動させるようにしている。
【０００３】
詳述すると、レバー２は第１軸２１をレバー支持体２４に嵌合することで第１方向に揺動自在である。該レバー支持体２４はレバー２に設けたスチールボール２５がバネ２６によって圧接されるカム２７を内面に形成しており、レバー２を第１方向に操作する際にレバー２に対して節度感を付与している。またレバー支持体２４は外面に形成した第２軸２２をスイッチ本体１のカバー１１に嵌合しており、そのため、レバー２とレバー支持体２４とが一体で第２方向に揺動自在である。
【０００４】
上記カバー１１はスイッチ本体１のケース１２に弾性嵌合することでレバー支持体２４をレバー２とともにスイッチ本体１に保持している。またケース１２は、該ケース１２と弾性嵌合する極盤１５の内面１６に設けた固定接点（図示せず）と接離してスイッチ切換えを行う可動盤３，第１可動接点１３及び第２可動接点１４を内蔵している。そして、可動盤３をレバー２の係合子２３に係合し、第１可動接点１３をレバー支持体２４の下端に設けた第１操作子２８に係合し、第２可動接点１４をレバー２の回転ノブ（図示せず）によって操作される第２操作子２９に係合している。
【０００５】
このように構成した従来のレバースイッチ装置は、レバー２を第１方向に操作すると、それに連動して可動盤３が揺動し、可動接片３３が極盤１５の固定接点上を摺動してスイッチ切換えを行う。たとえば、レバー２を図６に実線Ａで示す位置から仮想線Ｂで示す位置へカム２７による節度力に抗して回動操作すると、係合子２３が第１軸２１を中心にして図６に実線Ｃで示す位置から仮想線Ｄで示す位置へ回動し、可動盤３が係合子２３に押されて実線Ｅで示す位置から仮想線Ｆで示す位置へスライドする。
【０００６】
【発明が解決しようとする課題】
しかしながら、上記した従来装置では、レバー２を図７に実線Ｇで示す位置に操作した状態から第１方向に操作した場合と、仮想線Ｈで示す位置に操作した状態から第１方向に操作した場合とでは、第３軸３１から係合子２３までの距離の関係で可動盤３の揺動角度αが相違し、可動盤３に設けた可動接片３３も移動量が相違することと成る。
【０００７】
例えば、図８（ａ）に示すごとく、第３軸３１から係合子２３までの距離が最短距離Ｌ１である状態から、レバー２を第１方向に操作することによって係合子２３が距離Ｌ２ほど変位すると、可動盤３は角度α１ほど揺動する。また、図８（ｂ）に示すごとく、第３軸３１から係合子２３までの距離が最長距離Ｌ３である状態から、レバー２を第１方向に操作することによって係合子２３が上記状態と同じ距離Ｌ２ほど変位すると、可動盤３は角度α２ほど揺動する。
【０００８】
このように、従来のレバースイッチ装置は、可動盤３の揺動角度αがレバー２の第２方向の操作位置によって大きく相違し、そのため可動盤３に設けた可動接片３３の移動量も相違することと成り、該可動接片３３と極盤１５の固定接点との相互間でのスイッチ切換え位置が変化する問題が有った。このことにより、固定接点の配置構造の設計が困難に成るとか、誤作動を招来する危険が有った。
【０００９】
この発明は、従来装置の可動盤を設計変更するのみで上記問題を解消するものであり、可動盤の揺動角度がレバーの第２方向の操作位置によって相違せず、そのため可動盤に設けた可動接片の移動量も一定であり、可動接片と極盤と固定電極との相互間でのスイッチ切換え位置が一定であるレバースイッチ装置を提供することを目的としたものである。
【００１０】
【課題を解決するための手段】
上記課題を解決するために、まず請求項１記載の発明は、第１軸（２１）及び第２軸（２２）を介してスイッチ本体（１）で支持するとともに、第１軸（２１）及び前記第１軸（２１）と直交する第２軸（２２）を中心に第１方向及び前記第１方向と直交する第２方向の各方向に揺動自在であり、かつ先端側に係合子（２３）を有したレバー（２）と、スイッチ本体（１）で支持するとともに、第２方向に延びる長孔（３２Ａ）及び可動接片（３３Ａ）を有し、かつ第３軸（３１Ａ）を中心に前記長孔（３２Ａ）の延びる方向と直交する第３方向に揺動自在な可動盤（３Ａ）と、前記可動接片（３３Ａ）と摺接する固定接点を設けた極盤（１５）とを備え、前記係合子（２３）を前記長孔（３２Ａ）の壁面（３４Ａ）に係合することにより可動盤（３Ａ）をレバー（２）に連動させ、前記係合子（２３）が、レバー（２）の前記第２方向への揺動位置によって前記長孔（３２Ａ）内において第３軸（３１Ａ）に最短距離の位置から、最長距離の位置まで変位するようにしたレバースイッチ装置において、前記可動盤（３Ａ）の底面と前記壁面（３４Ａ）とのなす角度（θ：シータ）を第３軸（３１Ａ）からの距離に応じて変え、前記係合子（２３）が前記長孔（３２Ａ）内のどの位置に変位しても、前記レバー（２）の前記第１方向への揺動に対して、前記可動接片（３３Ａ）の移動量が一定となるようにしたことを特徴とするレバースイッチ装置を提供する。
【００１４】
【発明の実施の形態】
図１〜図４は、この発明の実施形態を示した図面である。同図において可動盤３Ａ以外は図６〜図８で示した従来装置と同一の構成であり、この同一構成部分は同一記号を付すとともに説明を省略する。
【００１５】
可動盤３Ａは、従来技術の可動盤３と同様にスイッチ本体１のケース１２に形成した支柱１７に第３軸３１Ａを嵌合することで支持するとともに、第３軸３１Ａを中心に第３方向に揺動自在であり、かつ第２方向に延びる長孔３２Ａ及び可動接片３３Ａを有した可動盤３Ａとを備え、長孔３２Ａの壁面３４Ａの傾斜角度〓（前記可動盤の底面と前記壁面とのなす角度を示し、以下「傾斜角度」という）を第３軸３１Ａに近いほど小さくしている。例えば図２（ａ）に矢印Ｉ−Ｉ方向からみた断面部では、図２（ｂ）に示すごとく傾斜角度が鋭角である〓１に設定しており、図２（ａ）に矢印Ｊ−Ｊ方向からみた断面部では、図２（ｃ）に示すごとく傾斜角度が上記角度〓１より広角である〓２に設定しており、図２（ａ）に矢印Ｋ−Ｋ方向からみた断面部では、図２（ｄ）に示すごとく傾斜角度を略直角である〓３に設定している。
【００１６】
このように構成したレバースイッチ装置は、レバー２を図１に実線Ａで示す位置から仮想線Ｂで示す位置へ操作することにより、係合子２３が第１軸２１を中心にして実線Ｃで示す位置から仮想線Ｄで示す位置へ変位すると、図６〜図８で示す従来技術と同様に可動盤３Ａが係合子２３によって押されて揺動し、これによりバネ３５Ａによって極盤１５側に付勢された可動接片３３Ａが極盤１５の固定接点上を摺動してスイッチ切換えを行う。
【００１７】
このとき、可動盤３Ａは、上記したように長孔３２Ａの壁面３４Ａの傾斜角度θを第３軸３１Ａに近いほど小さくしているので、例えば、図４（ａ）に示すごとく、第３軸３１Ａから係合子２３までの距離が最短距離Ｌ１である状態から、レバー２を第１方向に操作することによって係合子２３が距離Ｌ２ほど変位しても、図４（ｂ）に示すごとく、第３軸３１Ａから係合子２３までの距離が最長距離Ｌ３である状態から、レバー２を第１方向に操作することによって係合子２３が上記状態と同じ距離Ｌ２ほど変位しても、可動盤３Ａは同じ角度α３ほど揺動する。すなわち、可動盤３Ａの揺動角度αはレバー２の第２方向への操作位置に拘わらずおよそ一定に成り、可動盤３Ａに設けた可動接片３３Ａも移動量が一定に成る。したがって、可動接片３３Ａと極盤１５の固定接点との相互間でのスイッチ切換え位置が変化せず、固定接点の配置構造を設計する際の自由度も向上し、かつ誤作動を招来する危険も解消される。
【００１８】
尚、可動盤３Ａの壁面３４Ａの傾斜角度〓は、第３軸３１Ａから最も遠い位置を鈍角としてもよい。例えば図５（ａ）に矢印Ｍ−Ｍ方向からみた断面部では、図５（ｂ）に示すごとく傾斜角度を略直角である〓４に設定し、図５（ａ）に矢印Ｎ−Ｎ方向からみた断面部では、図５（ｃ）に示すごとく傾斜角度が上記〓４より広角である〓５に設定しており、図５（ａ）に矢印Ｏ−Ｏ方向からみた断面部では、図５（ｄ）に示すごとく傾斜角度を上記角度〓５より広角の鈍角である〓６に設定している。また、長孔３２Ａをレバー２が第２方向に揺動する際の係合子２３の揺動軌跡に対応して湾曲させてもよい。この発明は、その他各種の変形が可能である。
【００１９】
【発明の効果】
この発明は、第１軸（２１）及び第２軸（２２）を介してスイッチ本体（１）で支持するとともに、第１軸（２１）及び前記第１軸（２１）と直交する第２軸（２２）を中心に第１方向及び前記第１方向と直交する第２方向の各方向に揺動自在であり、かつ先端側に係合子（２３）を有したレバー（２）と、スイッチ本体（１）で支持するとともに、第２方向に延びる長孔（３２Ａ）及び可動接片（３３Ａ）を有し、かつ第３軸（３１Ａ）を中心に前記長孔（３２Ａ）の延びる方向と直交する第３方向に揺動自在な可動盤（３Ａ）と、前記可動接片（３３Ａ）と摺接する固定接点を設けた極盤（１５）とを備え、前記係合子（２３）を前記長孔（３２Ａ）の壁面（３４Ａ）に係合することにより可動盤（３Ａ）をレバー（２）に連動させ、前記係合子（２３）が、レバー（２）の前記第２方向への揺動位置によって前記長孔（３２Ａ）内において第３軸（３１Ａ）に最短距離の位置から、最長距離の位置まで変位するようにしたレバースイッチ装置において、前記可動盤（３Ａ）の底面と前記壁面（３４Ａ）とのなす角度（θ：シータ）を第３軸（３１Ａ）からの距離に応じて変え、前記係合子（２３）が前記長孔（３２Ａ）内のどの位置に変位しても、前記レバー（２）の前記第１方向への揺動に対して、前記可動接片（３３Ａ）の移動量が一定となるようにしたので、可動盤の揺動角度がレバーの第２方向の操作位置によって相違せず、そのため可動盤に設けた可動接片の移動量も一定であり、可動接片と極盤の固定接点との相互間でのスイッチ切換え位置が一定であるといった効果が有る。
【図面の簡単な説明】
【図１】この発明の実施形態を示す断面図である。
【図２】図１に示すものの要部を詳細に示した図面であり、（ａ）は底面図、（ｂ），（ｃ），（ｄ）はそれぞれ（ａ）に示す矢印Ｉ−Ｉ、Ｊ−Ｊ、Ｋ−Ｋの各断面図である。
【図３】図１に示すレバーと可動盤の要部分解斜視図である。
【図４】図１に示すものの作動を説明する説明図であり（ａ），（ｂ）はそれぞれ第３軸から係合子までの距離がＬ１，Ｌ３であるときの作動を示している。
【図５】この発明の別の実施形態の要部を示した図面であり、（ａ）は底面図、（ｂ），（ｃ），（ｄ）はそれぞれ（ａ）に示す矢印Ｍ−Ｍ、Ｎ−Ｎ、Ｏ−Ｏの各断面図である。
【図６】従来技術を示す断面図である。
【図７】図６に示すものの底面図である。
【図８】図６に示すものの作動を説明する説明図であり、（ａ），（ｂ）はそれぞれ第３軸から係合子までの距離がＬ１，Ｌ３であるときの作動を示している。
【符号の説明】
１  スイッチ本体
２  レバー
３Ａ  可動盤
１７  支柱
２１  第１軸
２２  第２軸
２３  係合子
３１Ａ  第３軸
３２Ａ  長孔
３３Ａ  可動接片
３４Ａ  壁面
３５Ａ  バネ
【図１】
0003888713.tif 000002
【図２】
0003888713.tif 000003
【図３】
0003888713.tif 000004
【図４】
0003888713.tif 000005
【図５】
0003888713.tif 000006
【図６】
0003888713.tif 000007
【図７】
0003888713.tif 000008
【図８】
0003888713.tif 000009